(57)【特許請求の範囲】
【請求項１】
サーバ及びカラオケ装置を有するカラオケシステムにおいて、
前記サーバは、
カラオケ歌唱のイベントを企画する企画者に関する企画者情報を少なくとも含むイベント情報を記憶する記憶部と、
前記イベントに参加する意志を示した参加予定者に関する参加予定者情報を前記イベント情報に登録する参加予定者情報登録部と、
を有し、
前記カラオケ装置は、
前記企画者及び前記参加予定者が当該カラオケ装置にログインしているかどうかを判別する判別部と、
前記企画者がログインしたときから所定時間ログインしていない参加予定者が存在する場合、当該カラオケ装置で実行されている各種の処理情報を当該参加予定者に対して提供するよう前記サーバに指示する指示部と、
を有することを特徴とするカラオケシステム。
【請求項２】
前記参加予定者情報には、当該参加予定者が提供を希望する特定の処理情報が関連付けられており、
前記指示部は、当該参加予定者に関連付けられている特定の処理情報のみを前記参加予定者に対して提供するよう前記サーバに指示することを特徴とする請求項１記載のカラオケシステム。
【請求項３】
カラオケ装置と通信可能に接続されるサーバにおいて、
カラオケ歌唱のイベントを企画する企画者に関する企画者情報を少なくとも含むイベント情報を記憶する記憶部と、
前記イベントに参加する意志を示した参加予定者に関する参加予定者情報を前記イベント情報に登録する参加予定者情報登録部と、
前記企画者及び前記参加予定者が前記カラオケ装置にログインしているかどうかを判別する判別部と、
前記企画者がログインしたときから所定時間ログインしていない参加予定者が存在する場合、前記カラオケ装置で実行されている各種の処理情報を当該参加予定者に対して提供する情報提供部と、
を有することを特徴とするサーバ。
【発明の詳細な説明】
【技術分野】
【０００１】
本発明はカラオケシステム及びサーバに関する。
【０００２】
複数の利用者が集まってカラオケ歌唱を行う場合、携帯電話及びスマートフォン等の携帯端末を使用して連絡を取り合うことが一般的である。その際、グループ登録したメールアドレスやソーシャルネットワーキングサービス（ＳＮＳ）の掲示板等を利用して開催日時や場所等の調整を行っている。
【０００３】
利用者同士でメッセージのやり取りを行ってカラオケ歌唱のイベントを企画する技術は、たとえば特許文献１に開示されている。特許文献１に記載の技術は、リモコン装置やパソコンを使用して、カラオケ大会の企画登録を行った利用者がＳＮＳのグループ内の利用者に対してカラオケ大会への参加を募集する。
【０００４】
また、特許文献２には、カラオケ装置にて演奏開始や写真撮影等のイベントが発生したタイミングで、カラオケシステムにログインしている利用者がＳＮＳへメッセージの投稿をできるようにし、カラオケに参加していない第三者に現在の状況を伝える技術が開示されている。
【先行技術文献】
【特許文献】
【０００５】
【特許文献１】特開２０１３−１９５９５４号公報
【特許文献２】特開２０１４−１９１１４２号公報
【発明の概要】
【発明が解決しようとする課題】
【０００６】
ところで、カラオケ大会等のイベントに参加の意志を示した参加予定者の中には、何らかの理由によりイベントの開始時に不在となる者もいる。このような参加予定者がイベントへの途中参加を検討する際、イベントが現在どのような状況にあるのかを知りたい場合もある。
【０００７】
しかし、特許文献１に記載の技術は、カラオケ大会を企画するためのものである。従って、カラオケ大会に参加していない参加予定者をフォローするものではない。
【０００８】
また、特許文献２に記載の技術では実際の参加者がＳＮＳへメッセージの投稿を行わない場合、参加予定者は現在の状況を知ることができない。すなわち、参加予定者は現在の状況を確実に知ることができない。
【０００９】
本発明の目的は、イベントの参加予定者に対してイベントが現在どのような状況にあるかを確実に知らせることが可能なカラオケシステム及びサーバを提供することにある。
【課題を解決するための手段】
【００１０】
上記目的を達成するための主たる発明は、サーバ及びカラオケ装置を有するカラオケシステムにおいて、前記サーバは、カラオケ歌唱のイベントを企画する企画者に関する企画者情報を少なくとも含むイベント情報を記憶する記憶部と、前記イベントに参加する意志を示した参加予定者に関する参加予定者情報を前記イベント情報に登録する参加予定者情報登録部と、を有し、前記カラオケ装置は、前記企画者及び前記参加予定者が当該カラオケ装置にログインしているかどうかを判別する判別部と、前記企画者がログインしたときから所定時間ログインしていない参加予定者が存在する場合、当該カラオケ装置で実行されている各種の処理情報を当該参加予定者に対して提供するよう前記サーバに指示する指示部と、を有することを特徴とするカラオケシステムである。
本発明の他の特徴については、後述する明細書及び図面の記載により明らかにする。
【発明の効果】
【００１１】
本発明によれば、イベントの参加予定者に対してイベントが現在どのような状況にあるかを確実に知らせることができる。
【図面の簡単な説明】
【００１２】
【図１】第１実施形態に係るカラオケシステムの概略を示す図である。
【図２】第１実施形態に係るサーバのハードウェア構成例を示す図である。
【図３Ａ】第１実施形態に係るイベント情報の例を示す図である。
【図３Ｂ】第１実施形態に係る参加申請画面の例を示す図である。
【図４】第１実施形態に係るカラオケ装置のハードウェア構成例を示す図である。
【図５】第１実施形態に係るカラオケ本体のハードウェア構成例を示す図である。
【図６Ａ】第１実施形態に係るカラオケシステムの動作を示すフローチャートである。
【図６Ｂ】第１実施形態に係るカラオケシステムの動作を示すフローチャートである。
【図７】第２実施形態に係るサーバのハードウェア構成例を示す図である。
【図８】変形例に係る参加申請画面の例を示す図である。
【発明を実施するための形態】
【００１３】
後述する明細書及び図面の記載から、少なくとも以下の事項が明らかとなる。
【００１４】
サーバ及びカラオケ装置を有するカラオケシステムにおいて、前記サーバは、カラオケ歌唱のイベントを企画する企画者に関する企画者情報を少なくとも含むイベント情報を記憶する記憶部と、前記イベントに参加する意志を示した参加予定者に関する参加予定者情報を前記イベント情報に登録する参加予定者情報登録部と、を有し、前記カラオケ装置は、前記企画者及び前記参加予定者が当該カラオケ装置にログインしているかどうかを判別する判別部と、前記企画者がログインしたときから所定時間ログインしていない参加予定者が存在する場合、当該カラオケ装置で実行されている各種の処理情報を当該参加予定者に対して提供するよう前記サーバに指示する指示部と、を有することを特徴とするカラオケシステムが明らかとなる。このようなカラオケシステムによれば、イベントの参加予定者に対してイベントが現在どのような状況にあるかを確実に知らせることができる。
【００１５】
また、前記参加予定者情報には、当該参加予定者が提供を希望する特定の処理情報が関連付けられており、前記指示部は、当該参加予定者に関連付けられている特定の処理情報のみを前記参加予定者に対して提供するよう前記サーバに指示することを特徴とするカラオケシステムが明らかとなる。このようなカラオケシステムによれば、参加予定者が必要とする処理情報だけを提供することができる。
【００１６】
カラオケ装置と通信可能に接続されるサーバにおいて、カラオケ歌唱のイベントを企画する企画者に関する企画者情報を少なくとも含むイベント情報を記憶する記憶部と、前記イベントに参加する意志を示した参加予定者に関する参加予定者情報を前記イベント情報に登録する参加予定者情報登録部と、前記企画者及び前記参加予定者が前記カラオケ装置にログインしているかどうかを判別する判別部と、前記企画者がログインしたときから所定時間ログインしていない参加予定者が存在する場合、前記カラオケ装置で実行されている各種の処理情報を当該参加予定者に対して提供する情報提供部と、を有することを特徴とするサーバが明らかとなる。このようなサーバによれば、イベントの参加予定者に対してイベントが現在どのような状況にあるかを確実に知らせることができる。
【００１７】
＜第１実施形態＞
図１〜図６Ｂを参照して、第１実施形態に係るカラオケシステム１について説明する。
【００１８】
＝＝システム＝＝
図１に示すように、カラオケシステム１は、サーバ２及びカラオケ装置３を備える。カラオケ装置３は、カラオケ店舗の各カラオケルームや、ナイト店舗等に設置される。サーバ２とカラオケ装置３とはネットワークＮを介して通信可能となっている。ネットワークＮは、たとえば公衆電話回線網やインターネット回線である。サーバ２からカラオケ装置３にカラオケを行うための楽曲データが送信され、カラオケ装置３が楽曲を演奏することにより、利用者はカラオケ歌唱が可能となる。
【００１９】
利用者端末４は、ネットワークＮを介してサーバ２と通信可能になっている。利用者端末４は、一般的なスマートフォン、タブレット端末等の携帯端末や、据え置き型のパーソナルコンピュータ等である。
【００２０】
＝＝サーバ＝＝
サーバ２は、利用者やカラオケ装置３等に関する各種情報を蓄積して管理するコンピュータである。図２はサーバ２のハードウェア構成例を示す図である。サーバ２は、記憶部２０、制御部２１および通信部２２を備える。
【００２１】
記憶部２０は、各種のデータを記憶する大容量の記憶装置である。記憶部２０は、楽曲データ、歌詞テロップデータ、及び背景画像データ等のカラオケ装置３で使用するデータや、カラオケ装置３等を介して登録された利用者データ、すなわち利用者ＩＤや属性情報（ＳＮＳのＩＤ、メールアドレス、プロフィール、歌唱採点の結果等）を記憶する。
【００２２】
また、本実施形態に係る記憶部２０は、カラオケ歌唱のイベントを企画する企画者に関する企画者情報を少なくとも含むイベント情報を記憶する。イベント情報は、企画されたイベントに関係する様々な項目を含んでいる。入力が必須の項目は、カラオケ歌唱のイベントを企画する企画者を識別するための企画者ＩＤ（企画者情報の一例）である。また、入力可能な項目として、たとえば、開催日時、開催場所、コメント（アニメ・演歌等の楽曲ジャンルや歌手名のような縛りに関する情報、参加募集する世代・性別等）がある。
【００２３】
イベント情報は、たとえば利用者端末４を介して作成される。具体例として、ある企画者は自己の利用者端末４からサーバ２が提供する専用サイトにアクセスする。企画者は、専用サイトでイベントに関する各種項目を入力する。
【００２４】
サーバ２は、作成されたイベント情報を記憶部２０に記憶し、且つ専用サイトの掲示板等にアップする。第三者は、この専用サイトを通じてどのようなイベントが企画されているかを把握することができる。図３Ａは専用サイトの掲示板に表示されるイベントリストの一例である。この例では、イベント毎に企画者情報、開催日時、開催場所が表示されている。また、各イベントに対して参加申請を行うための参加アイコンも表示される。なお、専用サイトではなく、利用者端末４にインストールされた専用のアプリケーションソフトウェアを用いてイベント情報を作成することも可能である。
【００２５】
制御部２１はＣＰＵおよびメモリ（いずれも図示無し）を備える。ＣＰＵは、メモリに記憶されたプログラムを実行することにより各種の機能を実現する。本実施形態に係る参加予定者情報登録部２１１及び情報提供部２１２は、制御部２０のＣＰＵがメモリに記憶されている動作プログラムを実行することにより実現される。
【００２６】
参加予定者情報登録部２１１は、イベントに参加する意志を示した参加予定者に関する参加予定者情報をイベント情報に登録する。
【００２７】
たとえば、図３Ａに示したイベントリストを見て、企画者Ｐ１が作成したイベントに参加したいと考えた者（参加予定者）がいるとする。
【００２８】
この場合、参加予定者は、自己の利用者端末４により、掲示板の企画者Ｐ１が作成したイベントに対応する参加アイコンを選択する。
【００２９】
参加アイコンが選択された場合、参加予定者情報登録部２１１は、参加予定者が自己に関する情報を入力するための参加申請画面を利用者端末４に表示させる。図３Ｂは、参加申請画面の一例である。この例では、参加登録画面に参加予定者の利用者ＩＤを入力する欄、ＳＮＳのＩＤを入力する欄、及び申請ボタンが表示されている。
【００３０】
参加予定者は、参加申請画面上で参加予定者情報（上記例では自己の利用者ＩＤ及びＳＮＳのＩＤ）を入力し、申請ボタンを選択することで参加を申請する。なお、参加予定者情報は、専用サイトへのログイン情報を元に、記憶部２０に予め記憶されている属性情報を読み出して利用することでもよい。すなわち、参加予定者情報登録部２１１は、専用サイトにログインする際に入力された利用者ＩＤに基づいて、記憶部２０に記憶されているＳＮＳのＩＤを読み出し、自動で参加申請画面に入力することも可能である。
【００３１】
参加予定者情報登録部２１１は、参加を申請した参加予定者の参加予定者情報を企画者Ｐ１が作成したイベント情報に関連付けて登録する。具体的には、参加予定者情報登録部２１１は、参加予定者の利用者ＩＤ及びメールアドレス等をイベントＮｏ．１のイベント情報に関連付けて登録する。
【００３２】
本実施形態に係る情報提供部２１２は、カラオケ装置３（指示部３０２。後述）の指示に基づいて、カラオケ装置３から受信した処理情報（後述）を参加予定者に対して提供する。たとえば、情報提供部２１２は、参加予定者情報に含まれるメールアドレスやＳＮＳのＩＤに基づいて、参加予定者宛てに処理情報を提供する（後述）。
【００３３】
通信部２２は、サーバ２とカラオケ装置３とを接続するためのインターフェースを提供する。
【００３４】
＝＝カラオケ装置＝＝
カラオケ装置３は、カラオケ楽曲の演奏及び利用者がカラオケ歌唱を行うための装置である。図４は、カラオケ装置３のハードウェア構成例を示す図である。カラオケ装置２は、装置本体３０、音響処理装置３１、スピーカ３２、表示装置３３、マイク３４、リモコン装置３５を備える。
【００３５】
（装置本体）
装置本体３０は、カラオケ楽曲の演奏制御、歌詞テロップおよび背景映像の表示制御、音響処理装置３１を通じて入力されたマイク３４からの音声信号に基づく歌唱採点の処理等、カラオケ歌唱に関する各種の制御を行う。
【００３６】
図５は装置本体３０のハードウェア構成例を示す図である。装置本体３０は、制御部３０ａ、記憶部３０ｂ、通信部３０ｃを有する。制御部３０ａはＣＰＵおよびメモリ（いずれも図示無し）を備える。ＣＰＵは、メモリに記憶されたプログラムを実行することにより各種の機能を実現する。本実施形態に係る判別部３０１及び指示部３０２は、制御部３０ａのＣＰＵがメモリに記憶されている動作プログラムを実行することにより実現される。
【００３７】
判別部３０１は、企画者及び参加予定者がカラオケ装置３にログインしているかどうかを判別する。カラオケ装置３へのログインは、たとえば、リモコン装置３５を介して自己の利用者ＩＤを入力することにより行う。
【００３８】
たとえば図３Ａの例において、企画者Ｐ１が企画したカラオケイベントの開催日時（２０１５年１１月１１日１９：００）が到来したとする。この場合、企画者Ｐ１は、設定した開催場所Ｘに赴いてカラオケ装置３にログインする。
【００３９】
判別部３０１は、企画者Ｐ１のログインを判別すると企画者Ｐ１の利用者ＩＤをサーバ２に送信する。サーバ２は、当該利用者ＩＤに基づいて、企画者Ｐ１の企画したイベント情報（イベントＮｏ．１）を検索し、カラオケ装置３に送信する。このイベント情報には、予め参加申請を行った参加予定者に関する参加予定者情報（利用者ＩＤ等）が登録されている。
【００４０】
なお、イベント情報に開催日時及び開催場所が含まれる場合には、以下の処理も可能である。
【００４１】
すなわち、イベントの開催日時が近づいた場合、サーバ２は、開催場所にあるカラオケ装置３に予め対応するイベント情報を送信する。開催場所Ｘに企画者Ｐ１が赴いてカラオケ装置３にログインすると、判別部３０１は企画者Ｐ１の利用者ＩＤとイベント情報に含まれる企画者情報とが一致するかどうかを判別する。利用者ＩＤが一致する場合、判別部３０１はイベントの企画者がログインしたと判別する。
【００４２】
その後、ある利用者がカラオケ装置３にログインする場合、判別部３０１はイベント情報（イベントＮｏ．１）に登録された参加予定者の利用者ＩＤと、ログイン時に入力された利用者ＩＤとが一致するかを判別する。利用者ＩＤが一致する場合、判別部３０１はイベントの参加予定者がログインしたと判別する。
【００４３】
指示部３０２は、企画者がログインしたときから所定時間ログインしていない参加予定者が存在する場合、当該カラオケ装置で実行されている各種の処理情報を当該参加予定者に対して提供するようサーバ２に指示する。
【００４４】
具体的には、指示部３０２は、企画者Ｐ１がログインしてからの経過時間をカウントする。そして、企画者Ｐ１がログインしてから所定時間（たとえば、１０分）経過した時点でイベント情報に登録された参加予定者（たとえば、参加予定者Ｅ１及びＥ２）のうち、ログインしていない参加予定者（参加予定者Ｅ２）がいる場合、指示部３０２は、参加予定者Ｅ２を識別するための情報（利用者ＩＤ）をサーバ２に送信する。また、指示部３０２は、所定時間経過後に実行される各種の処理情報を時系列にサーバ２に送信する。
【００４５】
各種の処理情報は、カラオケ装置３上で実行・記憶されるあらゆる情報が対象となる。たとえば、現在の参加者（ログイン済みの企画者及び参加予定者）、カラオケ歌唱に関する情報（予約待ちの楽曲、歌唱採点結果等）である。或いはリモコン装置３５等を介してドリンクやフードのオーダーができるカラオケシステムであれば、オーダー情報も処理情報として提供することができる。なお、処理情報の送信のタイミングは任意に設定可能である。すなわち、ある処理が行われる毎に時系列で送信を行ってもよいし、一定期間に行われた処理情報をまとめて送信することでもよい。
【００４６】
サーバ２（情報提供部２１２）は、指示部３０２からの指示に基づいて、まだログインしていない参加予定者Ｅ２に処理情報を提供する。具体的には、情報提供部２１２は、イベント情報に登録された参加予定者Ｅ２のＳＮＳのＩＤ宛てに「楽曲●●が歌唱されました」、「●●さんが参加しました」、「ドリンクが５杯注文されました」といった情報を時系列に送信する。
【００４７】
なお、判別部３０１が参加予定者Ｅ２のログインを判別した場合、指示部３０２はサーバ２に参加予定者Ｅ２の利用者ＩＤを送信する。サーバ２（情報提供部２１２）は、当該利用者ＩＤに基づいて参加予定者Ｅ２に対する処理情報の提供を中止する。処理情報を提供するタイミングは任意に設定可能である。すなわち、カラオケ装置３から処理情報を受信する毎に提供してもよいし、一定期間に受信した処理情報をまとめて提供することでもよい。
【００４８】
記憶部３０ｂは、各種のデータを記憶する大容量の記憶装置である。記憶部３０ｂは、カラオケ装置３によりカラオケ演奏を行うための楽曲データや歌詞テロップデータ、及び背景画像データを記憶する。カラオケ装置３が楽曲データに基づいて楽曲を演奏することにより、利用者はカラオケの歌唱が可能となる。
【００４９】
通信部３０ｃは、装置本体３０とサーバ２等とを接続するためのインターフェースを提供する。
【００５０】
（音響処理装置、スピーカ、マイク、リモコン装置）
音響処理装置３１は、カラオケ楽曲の演奏処理、及びマイク３４を通じて入力された音声信号の処理を行う。スピーカ３２は音響処理装置３１からの放音信号に基づいて放音するための構成である。表示装置３３は装置本体３０からの信号に基づいて映像や画像を画面に表示するための構成である。マイク３４は利用者の音声をアナログの音声信号に変換して音響処理装置３１に入力するための構成である。リモコン装置３５は、カラオケ装置３に対する各種操作をおこなうための装置である。利用者はリモコン装置３５を用いてカラオケ装置３の起動、楽曲の選択等を行うことができる。
【００５１】
＝＝カラオケシステムの動作について＝＝
次に、図６Ａ及び図６Ｂを参照して本実施形態に係るカラオケシステム１の動作の具体例について述べる。
【００５２】
（イベント企画時）
イベント企画時、カラオケシステム１は以下の処理を実行する。図６Ａは、カラオケシステム１のイベント企画時の動作例を示すフローチャートである。
【００５３】
カラオケ歌唱のイベントを企画する企画者Ｐ１は、利用者端末４を介してサーバ２の提供する専用サイトにアクセスする。そして、企画者Ｐ１は、イベントに関する各種項目を入力することにより、イベント情報を作成する（イベント情報の作成。ステップ１０）。なお、イベント情報には少なくとも企画者に関する企画者情報（企画者Ｐ１の利用者ＩＤ）が含まれる。
【００５４】
サーバ２は、ステップ１０で作成されたイベント情報を記憶部２０に記憶する。また、サーバ２は、専用サイト等で当該イベント情報を公開する（イベント情報の記憶及び公開。ステップ１１）。
【００５５】
ステップ１１で公開されたイベント情報を見た第三者は、利用者端末４等を介し、自己の興味や都合に合致するイベントへ参加申請を行う。サーバ２は、参加申請した参加予定者情報（参加申請を行った者の利用者ＩＤ等）をイベント情報に関連付けて登録する（参加予定者情報の登録。ステップ１２）。
【００５６】
（イベント開催時）
イベント開催時、カラオケシステム１は以下の処理を実行する。図６Ｂは、カラオケシステム１のイベント開催時の動作例を示すフローチャートである。
【００５７】
イベント開催時、企画者Ｐ１は、開催場所に赴いてカラオケ装置３にログインする。判別部３０１は、企画者Ｐ１のログインを判別し、ログイン信号をサーバ２に送信する（企画者のログイン。ステップ２０）。
【００５８】
サーバ２は、企画者Ｐ１の企画したイベント情報をカラオケ装置３に送信する（イベント情報の送信。ステップ２１）。
【００５９】
その後、カラオケ装置３においてカラオケ歌唱等が行われる（イベントの開始。ステップ２２）。
【００６０】
ここで、指示部３０２は、企画者Ｐ１がログインしたときから所定時間ログインしていない参加予定者が存在するかどうかを確認する。
【００６１】
所定時間ログインしていない参加予定者が存在する場合（ステップ２３でＹ）、指示部３０２は、当該カラオケ装置で実行されている各種の処理情報をログインしていない参加予定者に対して提供するようサーバ２に指示する。
【００６２】
すなわち、指示部３０２は当該ログインしていない参加者を識別するための利用者ＩＤをサーバ２に送信する（参加予定者の情報を送信。ステップ２４）。また、指示部３０２は、所定時間経過後に実行される各種の処理情報をサーバ２に送信する（処理情報の送信。ステップ２５）。
【００６３】
サーバ２（情報提供部２１２）は、ステップ２４及びステップ２５の情報に基づいて、まだログインしていない参加予定者に処理情報を提供する（処理情報の提供。ステップ２６）。
【００６４】
このように、本実施形態に係るカラオケシステム１によれば、まだイベントに参加していない参加予定者に対して、イベントが現在どのような状況にあるかを確実に知らせることができる。よって、イベントの状況を把握した参加予定者は、様々な対応が可能となる。たとえば、これまでに歌唱されている楽曲の情報が得られている場合、同じ楽曲を歌わないようにしたり、途中参加によって場の雰囲気を壊さないような楽曲選択（たとえばバラードばかり歌唱されている状況下では自分もバラードを歌唱しようという判断）が可能となる。或いは、まだ余り歌唱が行われていない状況であれば早めに合流できるよう予定を調整したり、既に多くの歌唱が行われている状況であれば今回は参加を見送るといった判断も可能となる。
【００６５】
なお、イベント情報の作成時に企画者がイベントへの参加者を指定することも可能である。たとえば、専用サイトに表示されるイベント情報作成画面において、特定の利用者ＩＤを入力することにより、参加予定者を指定することでもよい。この場合、サーバ２は、指定された参加予定者に対し、メール等でイベントの企画を通知することができる。或いは、サーバ２は、入力された特定の利用者ＩＤに基づいて当該イベント情報に閲覧制限を設定してもよい。この場合、入力された特定の利用者のみがイベント情報を閲覧できる。
【００６６】
また、予めサーバ２等に記憶されているカラオケ歌唱を行うグループ設定等を活用してもよい。たとえば、あるグループに属する者が企画者としてイベント情報を作成した場合、サーバ２は、当該グループに属する利用者に対し、メール等でイベントの企画を通知することができる。
【００６７】
＜第２実施形態＞
図７を参照して、第２実施形態に係るカラオケシステム１について説明する。第１実施形態と同様の構成については詳細な説明を省略する。
【００６８】
第１実施形態のカラオケシステム１においては、カラオケ装置３側で企画者等のログインの判別を行っていた。一方、ログインの判別はサーバ２側で行うことも可能である。本実施形態ではそのような構成について説明を行う。
【００６９】
本実施形態に係るサーバ２の制御部２１はＣＰＵおよびメモリ（いずれも図示無し）を備える。ＣＰＵは、メモリに記憶されたプログラムを実行することにより各種の機能を実現する。本実施形態に係る参加予定者情報登録部２１１、判別部２１３、情報提供部２１４は、制御部２０のＣＰＵがメモリに記憶されている動作プログラムを実行することにより実現される（図７参照）。
【００７０】
本実施形態に係る判別部２１３は、企画者及び参加予定者がカラオケ装置３にログインしているかどうかを判別する。
【００７１】
カラオケ装置３は、利用者がログインする度に当該利用者を示す情報（利用者ＩＤ）をサーバ２に送信する。判別部２１３は、イベント情報を参照し、当該イベントの企画者及び参加予定者の利用者ＩＤと受信した利用者ＩＤが一致するかどうかにより企画者及び参加予定者がログインしたかどうかを判別する。
【００７２】
企画者がログインした場合、判別部２１３はその旨の信号をカラオケ装置３に送信する。カラオケ装置３は、当該信号を受け取った後、当該カラオケ装置で実施された処理情報をサーバ２に送信する。
【００７３】
本実施形態に係る情報提供部２１４は、企画者がログインしたときから所定時間ログインしていない参加予定者が存在する場合、カラオケ装置３で実行されている各種の処理情報を当該参加予定者に対して提供する。
【００７４】
情報提供部２１４は、企画者がログインしてからの経過時間をカウントする。そして、企画者がログインしてから所定時間経過した時点でイベント情報に登録された参加予定者のうち、ログインしていない参加予定者がいる場合、情報提供部２１４は、カラオケ装置３から受信する処理情報を当該参加予定者に対して提供する。たとえば、情報提供部２１４は、参加予定者のＳＮＳのＩＤ宛てに処理情報を送信する。
【００７５】
このように、本実施形態に係るサーバ２によれば、まだイベントに参加していない参加予定者に対して、イベントが現在どのような状況にあるかを確実に知らせることができる。
【００７６】
＜変形例＞
参加予定者に対してカラオケ装置３で実施される全ての処理情報を提供する場合、イベントの規模によっては情報量が膨大となる可能性もある。一方、参加予定者は特定の処理情報のみを把握できれば十分な場合もありうる。たとえば、ある楽曲を必ず歌いたいと考えている参加予定者にとっては、当該楽曲が既に歌唱されたかどうかを把握することが重要となる。或いは、イベント参加者の一部としか面識がない参加予定者は、既に参加している者の中に面識がある人がいるかどうかを重視する場合もありうる。
【００７７】
そこで、参加予定者は、参加申請をする際に提供を希望する特定の処理情報を入力することも可能である。
【００７８】
たとえば、図８は、参加申請画面の一例である。この例では、参加登録画面には、参加予定者の利用者ＩＤを入力する欄、ＳＮＳのＩＤを入力する欄、申請ボタンと併せて、提供を希望する処理情報の入力欄が表示される。参加予定者は処理情報の入力欄に歌唱したい楽曲の楽曲ＩＤや、アニメ・演歌等の楽曲ジャンル、歌手名、アルコールを含むドリンクやフードメニュー等の飲食の注文情報、特定の参加者のニックネームや利用者ＩＤ等、提供を希望する特定の処理情報を直接入力することにより指定できる。参加予定者情報登録部２１１は、参加予定者情報を登録する際に当該特定の処理情報についても併せて登録する。なお、提供を希望する処理情報の入力は、直接入力に限らず、いくつかの項目リストを表示し、その中から参加予定者が選択することでもよい。
【００７９】
指示部３０２は、特定の処理情報を登録した参加予定者が所定時間ログインしていない場合には、当該参加予定者の利用者ＩＤをサーバ２に送信する。サーバ２は、イベント情報を参照し、当該参加予定者に対しては特定の処理情報のみを提供する。
【００８０】
上記実施形態は、プログラムが前述した各種の処理をコンピュータ又はマイクロプロセッサに実行させることにより実現可能である。この場合、全ての処理をプログラムとして準備していてもよいし、一部の処理をハードウェアに処理させ残りの処理をプログラムとして準備していてもよい。また、実行可能なプログラムが記憶された非一時的なコンピュータ可読媒体を用いて、コンピュータにプログラムを供給することも可能である。なお、非一時的なコンピュータの可読媒体の例は、磁気記録媒体、ＣＤ−ＲＯＭ等がある。
【００８１】
上記実施形態は例として提示したものであり、発明の範囲を限定するものではない。また、上記実施形態の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００８２】
１  カラオケシステム
２  サーバ
３  カラオケ装置
２０  記憶部
２１１  参加予定者情報登録部
２１２  情報提供部
３０１  判別部
３０２  指定部
【図１】
0006550326.tif 000002
【図２】
0006550326.tif 000003
【図３Ａ】
0006550326.tif 000004
【図３Ｂ】
0006550326.tif 000005
【図４】
0006550326.tif 000006
【図５】
0006550326.tif 000007
【図６Ａ】
0006550326.tif 000008
【図６Ｂ】
0006550326.tif 000009
【図７】
0006550326.tif 000010
【図８】
0006550326.tif 000011